(57)【要約】【課題】  電子番組表において、ユーザによる番組選択の自由度を高める。【解決手段】  本発明は、放送チャンネル軸と放送時間軸によって構成される電子番組表に番組情報枠とは異なるサイズの番組選択枠（カーソルＣ）を表示し、前記カーソルＣはサイズに応じて前記電子番組表の番組情報間を移動する。これにより、カーソルＣはその時間幅やチャンネル幅の単位で移動し、また、カーソルＣにより選択された幅で視聴や録画の設定がなされる。【選択図】  図６
2014131111.tif 000002
【特許請求の範囲】
【請求項１】
放送チャンネル軸と放送時間軸によって構成される電子番組表に番組情報枠とは異なるサイズの番組選択枠を表示し、前記番組選択枠はサイズに応じて前記電子番組表の番組情報間を移動することを特徴とする番組表表示装置。
【請求項２】
前記番組選択枠は、選択される番組の範囲を調整することを特徴とする請求項１に記載の番組表表示装置。
【請求項３】
前記番組選択枠は、放送時間軸方向の幅を変更することによって当該時間幅に基づき移動することを特徴とする請求項１又は２に記載の番組表表示装置。
【請求項４】
前記番組選択枠は、放送チャンネル軸方向の幅を変更することによって放送チャンネル幅に基づき移動することを特徴とする請求項１又は２に記載の番組表表示装置。
【請求項５】
前記番組選択枠のサイズをあらかじめ記憶する記憶部を有し、前記記憶部に記録された枠のサイズを選択することによって、前記番組選択枠のサイズを設定する番組選択枠幅設定部を有することを特徴とする請求項１乃至４のいずれか１項に記載の番組表表示装置。
【請求項６】
前記番組選択枠は、透過性を有することを特徴とする請求項１乃至５のいずれか１項に記載の番組表表示装置。
【請求項７】
前記番組選択枠幅設定部は、前記番組選択枠を任意のサイズで記憶することを特徴とする請求項５に記載の番組表表示装置。
【請求項８】
前記番組選択枠を前記番組情報枠のサイズに戻る手段を有することを特徴とする請求項１乃至７のいずれか１項に記載の番組表表示装置。
【請求項９】
前記番組選択枠を選択した際に前記番組選択枠が覆っている複数の番組情報を表示し、これら番組情報の内の任意の番組情報を選択させることを特徴とする請求項１乃至８のいずれか１項に記載の番組表表示装置。
【発明の詳細な説明】
【技術分野】
【０００１】
本発明は、画面に表示された電子番組表に対して、ユーザが行なう選択操作を改良する技術に関する。
【背景技術】
【０００２】
テレビ放送ではデジタル化が普及し、デジタル映像・音声信号による高画質・高音質な番組の放送がなされている。
また、電子番組ガイド（ＥＰＧ：Electric Program Guide）のサービスも実施されており、テレビジョン受像装置やテレビ放送記録再生装置等のテレビ放送受信装置が電子番組ガイドデータを受信することで、放送チャンネル軸と放送時間軸とによって放送番組名などの番組情報を番組情報枠で表示する電子番組表を画面表示して、ユーザが所望の放送番組を選択し易くしている。
【０００３】
特許文献１には、視聴者の電子番組表における番組検索操作や電子番組表で表示する領域の変更操作の簡便化を図るために、詳細電子番組表の表示領域等の管理用の範囲・領域等管理情報とマイコンからの電子番組制御信号とに基づき、基準位置と詳細電子番組表の表示領域を計算して表示制御信号を出力し、表示制御信号に基づき、詳細電子番組表及び詳細電子番組表上における基準位置を示すカーソルを作成し、詳細電子番組表の表示領域を認識し、全体電子番組表と共に、詳細電子番組表の位置及び領域（時間帯幅及び放送局幅）を示す（詳細電子番組表用）カーソルを全体電子番組表上に作成する電子番組表表示装置が記載されている。
【０００４】
特許文献２には、時間軸方向のカーソル移動に割り当てられた方向キーが継続して押されている時間を計測し、時間軸方向のカーソル移動に割り当てられた方向キーが継続して押されている時間が予め決められた時間を越えた場合、時間軸方向に割り当てられた方向キーの押下が解除されるまで、カーソルの時間軸方向の幅および移動単位を時間軸における一定時間に対応する幅に変更することで、カーソルの時間軸方向の移動単位とともにカーソルの時間軸方向の幅を変更することで、電子番組表の時間軸方向のカーソル移動の操作性を改善した電子番組表操作装置が記載されている。
【０００５】
特許文献３には、放送局名を縦軸、時間を横軸とする横型番組表を表示装置に表示するためのデータ、または時間を縦軸、放送局名を横軸とする縦番組表を表示装置に表示するためのデータを生成し、表示切替コマンドを受信した場合に、前記一方の番組表が表示する放送局数および時間幅の組合せが、第１テーブルおよび第２テーブルのうち前記他方の番組表に対応するテーブル内に存在するか否かを判別し、存在しないと判別した場合に、前記他方の番組表に対応するテーブルから前記一方の番組表が表示する放送局数以下で最大の放送局数と前記一方の番組表が表示する時間幅以下で最大の時間幅との組合せを選択する番組表表示装置が記載されている。
【先行技術文献】
【特許文献】
【０００６】
【特許文献１】特開２００８−２６３４８０号公報
【特許文献２】特開２０１１−２９８４２号公報
【特許文献３】特開２００８−６１０２０号公報
【発明の概要】
【発明が解決しようとする課題】
【０００７】
電子番組表の各放送チャンネルには種々な放送番組情報がそれらの放送時間の幅をもった番組情報枠で画面表示されるが、これら番組情報枠のいずれか１つに位置する番組選択枠（以下、本明細書ではカーソルとも表記する）を、ユーザがリモコン操作等により所望の番組情報枠に移動させて選択することで、所望の放送番組を視聴し、また、所望の放送番組の視聴や録画を予約することができる。
【０００８】
従来では、電子番組表における放送番組の選択は、番組情報枠の単位（すなわち、番組の放送時間及び放送チャンネルの単位）となっており、カーソルの放送時間方向の幅は各番組の放送時間によって自動的に変化する。したがって、ユーザのカーソル操作により、番組の単位で容易に所望の放送番組を選択することができる。
しかしながら、実際には、番組単位で選択することが不都合な場合がある。例えば、放送番組中の一部だけを視聴や録画の予約をしたい場合、コマーシャルは録画したくないので放送番組の前半部を除いて録画の予約をしたい場合などといったように、ユーザのニーズは様々である。
更には、ユーザ操作に応じて、カーソルは番組情報枠の単位（すなわち、番組の放送時間及び放送チャンネルの単位）で移動するが、電子番組表中から所望の放送番組を探そうとした場合などでは操作性に欠けるという問題がある。
【０００９】
このような実情に対して、ユーザに満足を与えるべく改良が施された番組選択装置は提供されていなかった。
なお、特許文献２に記載される電子番組表操作装置は、カーソル移動の便宜のためにカーソルの時間軸方向の幅を変更するものであって、放送番組の選択は番組単位でするものであり、番組単位で選択することの不都合という課題を考慮も示唆もしていない。
【００１０】
本発明は、上記従来の事情に鑑みなされたものであり、電子番組表において、ユーザによる番組選択の自由度を高めることを目的としている。
【課題を解決するための手段】
【００１１】
本発明は、ユーザが電子番組表において番組の選択操作を行なう電子番組表表示装置について、上記新規な課題に着目したものである。
なお、本発明は、電子番組表中の放送番組を選択する番組選択装置や、番組選択装置の機能を備えたテレビジョン受信装置、テレビ放送記録再生装置等のテレビ放送受信装置としても実現することができる。
【００１２】
本発明に係る番組表表示装置は、放送チャンネル軸と放送時間軸によって構成される電子番組表に番組情報枠とは異なるサイズの番組選択枠（カーソル）を表示し、前記番組選択枠はサイズに応じて前記電子番組表の番組情報間を移動する。
ここに、前記番組選択枠は、放送時間軸方向の幅を変更することによって当該時間幅に基づき移動するようにしてもよく、また、前記番組選択枠は、放送チャンネル軸方向の幅を変更することによって放送チャンネル幅に基づき移動するようにしてもよい。
なお、番組情報枠は、電子番組表において各番組を識別するための情報を表示する枠であり、典型例としては放送番組名を表示する枠である。
【００１３】
これによって、電子番組表における放送チャンネル軸方向や放送時間軸方向のカーソルスクロール速度を、カーソルの幅を大きくした場合には速く、カーソルの幅を小さくした場合には遅くすることができる。
【００１４】
また、本発明では、前記番組選択枠は、選択される番組の範囲を調整するようにしてもよい。
これによって、番組の放送時間にかかわらず、録画予約等の受信処理を行なう番組を、番組の一部や連続する２つの番組等といったように自由に選択することができ、また、番組の放送チャンネルにかかわらず、録画予約等の受信処理を行なう番組を、異なる放送チャンネルの２つの番組等といったように自由に選択することができる。
【００１５】
本発明に係る番組表表示装置は、前記番組選択枠のサイズをあらかじめ記憶する記憶部を有し、前記記憶部に記録された枠のサイズを選択することによって、前記番組選択枠のサイズを設定する番組選択枠幅設定部を有するようにしてもよい。
これによって、予め設定された時間幅やチャンネル幅でカーソルの移動態様を容易に設定し、更には、番組の選択範囲を容易に設定することができる。
【００１６】
本発明に係る番組表表示装置は、前記番組選択枠が透過性を有するようにしてもよい。
これによって、番組選択枠に覆われた番組情報枠が透視でき、番組情報が電子番組表の通りに確認ができる。
【００１７】
本発明に係る番組表表示装置は、前記番組選択枠幅設定部が前記番組選択枠を任意のサイズで記憶するようにしてもよい。
これにより、ユーザが使用する任意の枠を記憶することで毎回枠のサイズの設定を行なう必要がなく、使い勝手がよくなる。
【００１８】
本発明に係る番組表表示装置は、前記番組選択枠を前記番組情報枠のサイズに戻る手段を有するようにしてもよい。
これにより、上記のように番組選択枠のサイズを変更した後に、元の枠サイズ（例えば、放送チャンネル毎の各番組情報枠のサイズ）に簡単に戻ることができる。
【００１９】
本発明に係る番組表表示装置は、前記番組選択枠を選択した際に前記番組選択枠が覆っている複数の番組情報を表示し、これら番組情報の内の任意の番組情報を選択させるようにしてもよい。
これにより、番組選択枠のサイズを変更した際、複数の番組を枠番組選択で覆った場合にその都度、番組選択枠を番組情報枠に合せることなく、番組を選択することができる。
【００２０】
なお、本発明は、次のような番組選択装置やテレビジョン受信装置としても実現することができる。
番組選択装置は、放送番組の番組情報枠を放送チャンネル軸と放送時間軸とにより画面表示する電子番組表に対して、番組情報枠を選択するカーソル（番組選択枠）をユーザ操作に応じて移動させる番組選択装置であって、受信処理を行なう放送番組の時間を変更するために、ユーザ操作に応じて、前記カーソルの放送時間軸方向の幅を変更するカーソル幅設定部を有する。
【００２１】
電子番組表において、ユーザは、例えば視聴や録画の予約による受信処理を設定する場合、番組情報枠の大きさ（すなわち、当該番組の放送時間）にかかわらず、カーソルを放送時間軸方向の幅を変更することができる。したがって、番組の放送時間にかかわらず、録画予約等の受信処理を行なう番組を、番組の一部や連続する２つの番組等といったように、自由に選択することができる。
【００２２】
番組選択装置は、前記カーソル幅設定部が幅を変更したカーソルを、電子番組表においてユーザ操作に応じて移動させるカーソル制御部を有するようにしてもよい。
これによって、電子番組表における放送時間軸方向のスクロール速度を、カーソルの幅を大きくした場合には速く、カーソルの幅を小さくした場合には遅くすることができる。
【００２３】
また、番組選択装置は、前記カーソル幅設定部が、ユーザ操作に応じて、前記カーソルの放送時間軸方向の幅を受信開始側と受信終了側との少なくとも一方を変更するようにしてもよい。
これによって、番組の開始部分は選択範囲から除外する、番組の終了部分は選択範囲から除外する、番組の開始部分と終了部分は選択範囲から除外する等といったように、放送番組の受信処理を開始又は終了する範囲を設定することができる。
【００２４】
また、番組選択装置は、前記カーソル幅設定部が、ユーザ操作に応じて、前記カーソルの放送時間軸方向の幅を受信開始側と受信終了側とのいずれか一方を固定した状態で他方を変更するようにしてもよい。
これによって、カーソルの一方の端を固定した状態で、番組の開始部分は選択範囲から除外する、番組の終了部分は選択範囲から除外する等といったような選択範囲の設定を容易に行なうことができる。
【００２５】
また、番組選択装置は、前記カーソル幅設定部が、ユーザ操作に応じて、前記カーソルの放送時間軸方向の幅を予め設定された大きさに変更するようにしてもよい。
これによって、予め設定された時間での番組の選択範囲を容易に設定することができる。
更にまた、前記カーソルの放送時間軸方向の幅は複数の大きさで予め設定しておき、ユーザ操作を受け付ける複数の操作子を備えた操作部を有して、カーソルの放送時間軸方向の幅の各大きさは、前記操作部の異なる操作子に割り付けられるようにしてもよい。
これによって、ユーザは操作子を選ぶことで、種々な幅のカーソルによって番組の選択をすることができる。
【００２６】
また、番組選択装置は、ユーザ操作を受け付ける複数の操作子を備えた操作部を有し、前記カーソル幅設定部は、カーソル幅の設定モードとする一の操作子がユーザ操作されたことを条件に、カーソルの放送時間軸方向の幅を、他の操作子のユーザ操作に応じた任意の大きさに変更するようにしてもよい。
これによって、カーソル幅の設定モードとすることで、例えば、通常はカーソルのスクロールに用いるキーボタンをモード切替によってカーソルの幅変更に用いるといったように、通常時は他の機能のために用いられる操作子をカーソルの幅を変更するために兼用することができる。
【００２７】
テレビ放送受信装置は、番組情報枠を放送チャンネル軸と放送時間軸とにより画面表示する電子番組表に対して、ユーザ操作に応じてカーソルを移動させて番組情報枠を選択するテレビ放送受信装置であって、ユーザ操作に応じて、前記カーソルの放送時間軸方向の幅を変更するカーソル幅設定部と、前記カーソル幅設定部により変更されたカーソル幅に対応する時間によって、当該カーソルにより選択された番組情報枠の放送番組に対して受信処理を行なう受信処理部と、を有する。
これによって、例えば、テレビジョン受信装置における視聴予約や、テレビ放送記録再生装置における録画予約をする場合、電子番組表において、番組の放送時間とは異なる範囲で予約設定することができる。
【００２８】
なお、本発明は、典型的には、テレビジョン受信装置や、ハードディスク装置（ＨＤＤ）やブルーレイディスク装置（ＢＤ）等によるレコーダ・プレイヤといったテレビ放送記録再生装置（テレビ放送受信装置）に用いられる番組選択装置として実施されるが、これに限らず、番組情報枠を放送チャンネル軸と放送時間軸とにより画面表示する電子番組表に対して、放送番組を選択するカーソルをユーザ操作に応じて移動させる番組選択装置として、種々な装置に適用することができる。
【発明の効果】
【００２９】
本発明によると、電子番組表において放送番組の識別情報を表示する枠（番組情報枠）の大きさに限定されずにカーソルの幅を変更することができ、ユーザによる番組選択の自由度を高めることができる。
【図面の簡単な説明】
【００３０】
【図１】本発明の一実施形態に係るテレビジョン受信装置及びテレビ放送記録再生装置を示す図である。
【図２】本発明の一実施形態に係るリモコンの操作部を示す図である。
【図３】本発明の一実施形態に係る番組表示装置の要部の構成図である。
【図４】本発明の一実施形態に係る電子番組表及びカーソルを説明する図である。
【図５】本発明の一実施形態と従来例とを比較してカーソルの動きを説明する図である。
【図６】本発明の一実施形態に係るカーソル幅の変更を説明する図である。
【図７】本発明の一実施形態に係る番組情報枠及びカーソルを説明する図である。
【発明を実施するための形態】
【００３１】
図１には、本発明に係る番組表表示装置を適用するテレビジョン受信装置１及びテレビ放送記録再生装置３の外観を示してある。
テレビジョン受信装置１は、アンテナによりデジタル放送を受信して、放送番組をスピーカから音声出力するとともに画面２から映像出力する。
テレビ放送記録再生装置３は、テレビジョン受信装置１に接続されて、テレビジョン受信装置１が受信したデジタル放送或いは自らが受信したデジタル放送番組をＨＤＤ、ＢＬ、ＤＶＤ等の記録媒体に再生可能に記録する。
これらテレビジョン受信装置１及びテレビ放送記録再生装置３は、自らが備える操作ボタン等の操作部１ａ、３ａからユーザ入力を受け付ける他、リモコン４からの信号を受信してユーザ入力を受け付けることができる。
【００３２】
図２には、操作部としてのリモコン４の一例を示してある。
リモコン４には、種々な機能が割り付けられる機能ボタン４ａ、チャンネルの選局を降順又は昇順で行なう選局ボタン４ｂ、出力音量を調整する音量ボタン４ｃ、上下左右へのスクロール指示などを入力する十字ボタン４ｄ、選局や番組選択の決定などの指示を入力する決定ボタン４ｅ、数字が割り当てられた番号キーボタン４ｆ等といった複数の操作子が設けられている。
【００３３】
図３には、本発明の一実施形態として、番組表示装置を備えたテレビジョン受信装置１の構成を示してある。
このテレビジョン受信装置１は、操作部１ａ、画面２、アンテナ５、チューナ６、受信処理部７、表示ドライバ８、受信部９、制御部１０を有している。
なお、テレビジョン受信装置１に接続されるテレビ放送記録再生装置３は、放送番組データを記録媒体３ａに記録する記録処理部３ｂを有している。
【００３４】
アンテナ５はデジタル放送とともに電子番組ガイドデータを受信し、チューナ６はデジタル放送及び電子番組ガイドデータの復調処理を行なう。
受信処理部７は、後述するようにユーザ操作によって選択された放送番組について、復調されたデジタル放送の映像復号化等の受信処理を行ない、このデジタル放送による番組映像をドライバ８が画面２に表示する。
【００３５】
制御部１０は、操作部１ａから入力されたユーザ操作や受信部９を介してリモコン４から入力されたユーザ操作に応じて、電子番組表の画面表示や電子番組表におけるカーソル幅に係る制御処理を行なう。
制御部１０は、電子番組表の表示に係る制御処理のために番組表表示部１１を有しており、番組表表示部１１が、放送番組名（識別情報）を表す番組情報枠を放送チャンネル軸と放送時間軸とのマトリックス形式（図４等参照）で画面表示する電子番組表を画面２に表示するための処理、電子番組表とともにユーザ操作により移動するカーソルを表示して、当該カーソルの位置に応じてユーザ操作により選択された番組情報枠（すなわち、放送番組）を判定する処理等を行う。
【００３６】
番組表表示部１１によりユーザが選択した放送番組が判定されたことに応じて、制御部１０は受信処理部７に選択された放送番組の受信処理を指示する。したがって、受信処理部７は、放送番組識別情報とその放送時間（すなわち、開始時刻から終了時刻の間の時間）で特定される放送番組の受信処理を行い、当該放送時刻が将来である時には受信処理の予約がなされる。
なお、本例の電子番組表は、放送チャンネル名を横軸（放送チャンネル軸）に並べ、放送時間を縦軸（放送時間軸）に並べたマトリックス形式の番組情報枠に各放送番組名（識別情報）を表示するものを示すが、本発明では、横軸を放送時間軸とし、縦軸を放送チャンネル軸とした形式であってもよい。
【００３７】
制御部１０は、電子番組表におけるカーソル幅に係る制御処理のためにカーソル幅設定部１２を有しており、カーソル幅設定部１２が、上記電子番組表とともに画面２に表示されるカーソルの放送時間軸方向の幅を、ユーザ操作に応じて変更する。
なお、カーソル幅設定部１２は、このカーソルの幅を変更するために、カーソルの放送時間軸方向の受信開始側と受信終了側との少なくとも一方を保持するメモリ１３を有している。
【００３８】
したがって、操作部１ａやリモコン４からユーザがカーソル幅を変更する操作を入力すると、カーソル幅設定部１２が電子番組表中に表示されるカーソルの放送時間軸方向の大きさを変更し、例えば、図４（ａ）に示すように３０分の幅や、同図（ｂ）に示すように６０分の幅や、同図（ｃ）に示すように９０分の幅といったように、カーソルをユーザ操作に応じた任意の幅に変更することができる。
【００３９】
また、このようにカーソルの幅が変更されると、制御部１０による電子番組表中でのカーソル移動が変更幅の単位でなされる。
すなわち、ユーザが操作部１ａやリモコン４からカーソルのスクロール操作を行うと、カーソル幅が各放送番組の放送時間幅に自動的に設定される従来例では、図５（ａ）に示すように、カーソルは番組単位で移動するが、上記のようにカーソルの時間幅を変更すると、同図（ｂ）に示すように、カーソルはその幅の時間単位で移動する。
したがって、電子番組表における放送時間軸方向のスクロール速度を、カーソルの幅を大きくした場合には速く、カーソルの幅を小さくした場合には遅くすることができる。
【００４０】
上記のように、本実施形態では、ユーザ操作に応じてカーソル幅を変更することにより、受信処理部７が受信処理する放送番組の時間を任意に設定して、テレビジョン受信装置１の視聴予約された番組の受信処理を行うことができる。
なお、テレビ放送記録再生装置３の録画予約受信処理についても上記と同様であり、ユーザ操作に応じてカーソル幅を変更することにより、受信処理部７が録画のために受信処理する放送番組の時間を任意に設定して、テレビ放送記録再生装置３の録画予約された番組の受信処理を行うことができる。
【００４１】
なお、番組情報枠に重なって移動するカーソルは透過性であるのが好ましく、これによって、電子番組表を見るユーザの視認性が向上する。
また、上記のようにサイズを変更したカーソルを元のサイズに戻す手段を備えており、例えば、リセットボタンをユーザが操作することで、各番組情報枠に対応するサイズにカーソルを戻すことができる。
【００４２】
本実施形態では、カーソル幅を変更するためのユーザ操作は、操作部１ａやリモコン４に設けられた各種のボタン４ａ〜４ｆを用いることにより行うことができる。
例えば、機能ボタン４ａの内の１つのボタン（例えば、Ａボタン）にカーソル幅設定モードへの切替を割り付け、十字ボタン４ｄに当該モードでの幅設定を割り付けておき、ユーザがＡボタン４ａを押した後に、十字ボタン４ｄの上又は下ボタンを押すと、カーソル幅設定部１２が、カーソルの放送時間軸方向の幅を、十字ボタン４ｄのユーザ操作に応じた任意の大きさに変更する。
【００４３】
図６には、カーソル幅の変更例を示してある。
なお、図６には、画面２に表示される電子番組表の一部を示してあり、１２時〜１４時の時間（番組情報枠）Ｓ１に番組名「野球中継」が表示され、ユーザ操作により、当該番組情報枠にカーソルＣを移動させて選択することで、当該番組「野球中継」の視聴や録画の予約がなされる。
【００４４】
図６（ａ）に示す例は、ユーザ操作に応じて、カーソルＣの放送時間軸方向の幅を受信開始側Ｌｓと受信終了側Ｌｅとの少なくとも一方を変更するものであり、これによって、番組「野球中継」Ｓ１の放送時間にかかわらず、録画予約等の受信処理を行なう時間範囲（カーソル幅）を、番組Ｓ１の一部や、前や後ろに連続する番組を含めた範囲等といったように、自由に選択することができる。
【００４５】
カーソルＣの幅を受信開始側Ｌｓで変更する場合、例えば、受信開始側の変更を或る機能ボタン４ａ（Ｂボタン等）に割り当てておき、ユーザが、当該ボタンを押して、十字ボタン４ｄで上又は下方向の操作をすることで、カーソル幅設定部１２が、カーソルＣの受信開始側Ｌｓを早い時刻又は遅い時刻に変更できるようにすればよい。
カーソルＣの幅を受信終了側Ｌｅで変更する場合、例えば、受信終了側の変更を或る機能ボタン４ａ（Ｃボタン等）に割り当てておき、ユーザが、当該ボタンを押して、十字ボタン４ｄで上又は下方向の操作をすることで、カーソル幅設定部１２が、カーソルＣの受信終了側Ｌｅを早い時刻又は遅い時刻に変更できるようにすればよい。
【００４６】
図６（ｂ）に示す例は、ユーザ操作に応じて、カーソルＣの放送時間軸方向の幅を受信開始側Ｌｓと受信終了側Ｌｅとのいずれか一方を固定した状態で他方を変更するものであり、これによって、カーソルの一方の端を固定した状態で、番組Ｓ１の開始部分は選択範囲から除外する、番組Ｓ１の終了部分は選択範囲から除外する等といったような選択範囲の設定を容易に行なうことができる。
【００４７】
同図に示すように、カーソルの受信終了側Ｌｅを固定して、受信開始側Ｌｓだけを変更する場合、例えば、この変更方式を或る機能ボタン４ａ（Ｃボタン等）に割り当てておき、ユーザが、当該ボタンを押して、十字ボタン４ｄで上又は下方向の操作をすることで、カーソル幅設定部１２が、カーソルＣの受信開始側Ｌｓを早い時刻又は遅い時刻に変更できるようにすればよい。
なお、カーソルの受信開始側Ｌｓを固定して、受信終了側Ｌｅだけを変更する場合、例えば、この変更方式を或る機能ボタン４ａ（Ｄボタン等）に割り当てておき、ユーザが、当該ボタンを押して、十字ボタン４ｄで上又は下方向の操作をすることで、カーソル幅設定部１２が、カーソルＣの受信終了側Ｌｅを早い時刻又は遅い時刻に変更できるようにすればよい。
【００４８】
図６（ｃ）に示す例は、放送時間軸方向の幅を違えた複数のカーソルＣ１（１４５分幅）、Ｃ２（１３５分幅）、Ｃ３（１２０分幅）、Ｃ４（６０分幅）・・・を予めメモリ１３に用意しておき、ユーザ操作に応じて、カーソル幅設定部１２が、これらカーソルを電子番組表に適用して、当該適用されたカーソル幅によって番組の視聴予約等の範囲を設定するものである。
【００４９】
例えば、カーソルＣ３を適用すると、２時間番組「野球中継」を放送開始から放送終了までの時間で選択することができる。
また、例えば、カーソルＣ１を適用すると、２時間番組「野球中継」と、それに前後して連続する１０分番組「今日の見どころ」Ｓ２及び１５分番組「解説」Ｓ３とを含めた時間範囲を選択することができる。
また、例えば、カーソルＣ４を適用すると、番組「野球中継」の内の後半の６０分間を選択することができる。
【００５０】
図７には、放送番組（番組情報枠）をカーソルで選択した際の変更例を示してある。
なお、図７には、画面２に表示される電子番組表の一部を示してあり、１１時〜１２時の番組情報枠に番組名「ドラマ」が表示され、１２時〜１３時の番組情報枠に番組名「ニュース」が表示されている。そして、２時間の幅に放送時間軸方向に幅を変更したカーソルＣをユーザ操作により移動させる。
【００５１】
図７（ａ）に示す例は、ユーザ操作に応じてカーソルＣを移動させて、カーソルＣで「ドラマ」と「ニュース」の番組情報枠を覆い、ユーザが仮の選択操作を行なうと、このカーソルＣが覆っている複数の番組情報（「ドラマ」、「ニュース」）をカーソルＣ内に表示し、更に、これら番組情報のいずれかを視聴や録画の対象として選択させるサブカーソルＣａを表示する。そして、このサブカーソルＣａは各番組情報枠の大きさであり、ユーザ操作に応じて移動して、これら番組情報の内のいずれかの番組情報をユーザ操作に応じて選択し、これによって、選択した番組の視聴や録画を設定することができる。
【００５２】
図７（ｂ）に示す例は、ユーザ操作に応じてカーソルＣを移動させて、カーソルＣで「ドラマ」と「ニュース」の番組情報枠を覆い、ユーザが仮の選択操作を行なうと、このカーソルＣが覆っている複数の番組情報（「ドラマ」、「ニュース」）をウインドウ２１で画面２に表示し、更に、これら番組情報のいずれかを視聴や録画の対象として選択させるサブカーソルＣａを表示する。そして、このサブカーソルＣａはユーザ操作に応じて移動して、これら番組情報の内のいずれかの番組情報をユーザ操作に応じて選択し、これによって、選択した番組の視聴や録画を設定することができる。
【００５３】
なお、上記実施形態は、カーソルの幅を放送時間軸方向に変更する例を示したが、同様に、カーソルの幅を放送チャンネル軸方向に変更するようにしてもよい。
これにより、電子番組表における放送チャンネル軸方向のスクロール速度を、カーソルの幅を大きくした場合には速く、カーソルの幅を小さくした場合には遅くすることができる。また、カーソル幅を変更することにより、受信処理部７が受信処理する放送番組を複数のチャンネルの放送番組に設定して、これら番組を同時視聴や同時録画の設定を行うことができる。
【符号の説明】
【００５４】
１：テレビジョン受信装置、  １ａ：操作部、
２：画面、  ３：テレビ放送記録再生装置、
４：リモコン、  ４ａ〜４ｆ：ボタン（操作子）、
５：アンテナ、  ６：チューナ、
７：受信処理部、  ８：ドライバ、
９：受信部、  １０：制御部、
１１：番組表表示部、  １２：カーソル幅設定部、
１４：カーソルデータメモリ、  Ｃ、Ｃ１、Ｃ２、Ｃ３、Ｃ４：カーソル、
Ｓ１、Ｓ２、Ｓ３：番組名表示枠、  Ｌｓ：カーソルの受信開始側、
Ｌｅ：カーソルの受信終了側、
【図１】
2014131111.tif 000003
【図２】
2014131111.tif 000004
【図３】
2014131111.tif 000005
【図４】
2014131111.tif 000006
【図５】
2014131111.tif 000007
【図６】
2014131111.tif 000008
【図７】
2014131111.tif 000009